Podtech/llm-jp-corpus-v4-ja_patent huggingface dataset:
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
複数の遊技機の制御装置には識別情報が記憶された識別手段を備え、各識別情報を収集することで各遊技機に対する不正を監視する不正監視システムであって、
非接触状態で前記識別情報を読み取る情報読取手段を複数備えるとともに、それら各情報読取手段を対応する遊技機の識別情報の読み取りが可能な位置に設置し、
さらに、前記識別情報の読み取りを開始するよう前記各情報読取手段を制御する開始制御手段と、
前記情報読取手段が読み取った識別情報、又はそれに対応した対応情報を収集する情報収集手段と、
前記開始制御が実行されてから所定期間内に、その開始制御が実行された情報読取手段から前記情報収集手段が前記情報を収集したか否かを判定する判定手段と、
当該判定手段により前記情報が収集されていないと判定された場合に、異常処理を実行する異常処理実行手段と
を備えたことを特徴とする不正監視システム。
【請求項２】
前記遊技機は、前記識別手段として、前記制御装置に設けられた第１識別手段と、当該制御装置とは別の制御装置、又は遊技媒体の付与に関連した媒体付与関連装置に設けられた第２識別手段とを備え、
前記情報読取手段は、対応する遊技機から前記第１識別手段及び前記第２識別手段の両方の識別情報を読み取ることを特徴とする請求項１に記載の不正監視システム。
【請求項３】
前記第１識別手段に記憶された第１識別情報と、前記第２識別手段に記憶された第２識別情報とを、同一の特定情報を有するように設定し、
前記判定手段は、前記情報収集手段が各遊技機に関して前記特定情報を有する２つの識別情報、又はそれに対応した情報を収集したか否かを判定することを特徴とする請求項２に記載の不正監視システム。
【請求項４】
前記遊技機は、遊技領域に向けて遊技球を発射する遊技球発射装置と、当該遊技球発射装置による遊技球の発射を実行させるべく操作される発射操作手段とを備え、
前記各情報読取手段は、前記識別情報を呼び出す呼出波を出力するとともに、前記識別手段からの応答波を入力する構成であり、
前記開始制御手段は、前記発射操作手段が操作されている遊技機に対応した情報読取手段に対して前記開始制御を行わないようにする手段を備えたことを特徴とする請求項１乃至３のいずれか１に記載の不正監視システム。
【請求項５】
前記遊技機は、遊技領域に、絵柄を可変表示する絵柄表示装置と、流下する遊技球が入球可能な始動入球部とを備え、当該始動入球部への入球に基づいて前記絵柄の可変表示を開始する構成とし、
前記各情報読取手段は、前記識別情報を呼び出す呼出波を出力するとともに、前記識別手段からの応答波を入力する構成であり、
前記開始制御手段は、前記絵柄の可変表示が行われている遊技機に対応した情報読取手段に対して前記開始制御を行わないようにする手段を備えたことを特徴とする請求項１乃至４のいずれか１に記載の不正監視システム。
【請求項６】
前記遊技機は、遊技領域に設けられた賞球入球部への入球に基づいて所定数の遊技球を払い出す払出装置を備え、
前記各情報読取手段は、前記識別情報を呼び出す呼出波を出力するとともに、前記識別手段からの応答波を入力する構成であり、
前記開始制御手段は、前記払出装置により遊技球が払い出されている遊技機に対応した情報読取手段に対して前記開始制御を行わないようにする手段を備えたことを特徴とする請求項１乃至５のいずれか１に記載の不正監視システム。
【請求項７】
前記遊技機は、絵柄を可変表示する絵柄表示装置と、前記絵柄の可変表示を開始させるべく操作される始動操作手段と、前記絵柄の可変表示を停止させるべく操作される停止操作手段とを備え、
前記各情報読取手段は、前記識別情報を呼び出す呼出波を出力するとともに、前記識別手段からの応答波を入力する構成であり、
前記開始制御手段は、前記始動操作手段が操作され前記絵柄の可変表示が行われている遊技機に対応した情報読取手段に対して前記開始制御を行わないようにする開始規制手段を備えたことを特徴とする請求項１乃至３のいずれか１に記載の不正監視システム。
【請求項８】
前記遊技機は、前記停止操作手段の操作後における停止絵柄に応じて遊技媒体を払い出す払出装置を備え、
前記開始規制手段は、前記払出装置により遊技媒体が払い出されている遊技機に対応した情報読取手段に対して前記開始制御を行わないようにすることを特徴とする請求項７に記載の不正監視システム。
【請求項９】
遊技機への電力供給が遮断されている場合であっても、前記情報読取手段に動作電力を供給する動作電力供給手段を備えたことを特徴とする請求項１乃至８のいずれか１に記載の不正監視システム。
【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
骨折部の修復に用いられる釘であって、
釘部材を有し、該釘部材が、
主長手方向軸線と、
近位端部と、
遠位端部とを備え、前記近位端部が、締結具を受け入れるための、前記近位端部を貫通して延びる少なくとも１つの孔と、前記遠位端部近くで前記釘を貫通して延びる、締結具を受け入れるための少なくとも１つの孔とを持ち、
前記遠位端部から前記近位端部まで延びる長手方向通路を備え、
前記釘部材の前記遠位端部に設けられた切断先端部を有し、該切断先端部は少なくとも１つのファセットを備え、該ファセットは、前記遠位端部を貫通して延びる前記主長手方向軸線に対して斜めにされ、
切れ刃を有し、該切れ刃は前記釘部材の先導端の一部をなしている、
骨折部の修復に用いられる釘。
【請求項２】
前記ファセットは、前記釘の前記主長手方向軸線に対して鋭角をなして設けられた平坦な表面である、請求項１記載の骨折部の修復に用いられる釘。
【請求項３】
前記切断先端部は、複数個のファセットを有する、請求項１記載の骨折部の修復に用いられる釘。
【請求項４】
前記複数個のファセットは、大ファセット及び小ファセットを含む、請求項３記載の骨折部の修復に用いられる釘。
【請求項５】
前記大ファセットと少なくとも２つの前記小ファセットの交差部のところに形成された切れ刃を有する、請求項４記載の骨折部の修復に用いられる釘。
【請求項６】
前記通路は、前記ファセットに設けられた開口部まで延びて該開口部を形成している、請求項１記載の骨折部の修復に用いられる釘。
【請求項７】
前記釘に設けられて長手方向に延びる少なくとも１つの溝を有する、請求項３記載の骨折部の修復に用いられる釘。
【請求項８】
前記溝は、少なくとも１つの切れ刃を有する、請求項５記載の骨折部の修復に用いられる釘。
【請求項９】
骨折部の修復に用いられる釘であって、
釘部材を有し、該釘部材は、
主長手方向軸線と、
近位端部と、
遠位端部とを備え、前記近位端部は、締結具を受け入れるための、前記近位端部を貫通して延びる少なくとも１つの孔を持ち、
前記遠位端部から前記近位端部まで延びる長手方向通路を備え、
前記釘部材の前記遠位端部に設けられた切断先端部を有し、該切断先端部は複数のファセットを備え、該複数のファセットは、大ファセットと、第１の小ファセットと、第２の小ファセットと、第３の小ファセットを有し、
前記大ファセットと前記第１の小ファセットの交差部と、前記大ファセットと前記第２の小ファセットの交差部と、前記第１の小ファセットと前記第３の小ファセットの交差部と、前記第２の小ファセットと前記第３の小ファセットの交差部とに形成された切れ刃と、
前記釘に設けられ、前記遠位端部から前記近位端部に向かって長手方向に延びる少なくとも１つの溝とを有する、
骨折部の修復に用いられる釘。
【請求項１０】
前記切れ刃は、頂点に向かって収斂している、請求項７記載の骨折部の修復に用いられる釘。
【請求項１１】
前記頂点は、前記大ファセットに設けられた開口部の一方の側に設けられ、前記開口部は、前記通路が前記大ファセットのところで終端することにより作られている、請求項８記載の骨折部の修復に用いられる釘。
【請求項１２】
刃先は、該頂点のところで鈍角を形成する少なくとも２つの大切れ刃を有し、該大切れ刃は、前記開口部に密接して位置している、請求項９記載の骨折部の修復に用いられる釘。
【手続補正書】
【提出日】平成21年3月26日(2009.3.26)
【手続補正１】
【補正対象書類名】明細書
【補正対象項目名】００４９
【補正方法】変更
【補正の内容】
【００４９】
各ノズル管６２は、空気入口６５より圧縮空気（加圧空気）を供給され、噴孔６３より環状空隙２７の軸線方向中間部に空気を噴出する。噴孔６３より環状空隙２７の軸線方向中間部に噴出した空気のうち、そのほぼ半分は環状空隙２７内を軸流空気流として開口端２７Ａへ流れ、その間に、回転子１６および固定子２１を冷却し、残りは環状空隙２７内を軸流空気流として開口端２７Ａとは反対側の開口端２７Ｂへ流れ、それぞれ、その間に、回転子１６および固定子２１を冷却する。
【手続補正２】
【補正対象書類名】明細書
【補正対象項目名】００７３
【補正方法】変更
【補正の内容】
【００７３】
これにより、環状噴孔１０４より吹き出す圧縮空気が低圧であっても、通気孔９１内を良好に流れる空気流によって、回転子１６の空冷が回転子１６の内部（発熱高温部）より効率よく行われる。しかも、高い空気圧を必要としないから、環状噴孔１０４より噴出する圧縮空気が、回転子１６の前後に設けられる回転軸１５の軸受の潤滑性能（エアオイル潤滑、オイルミスト潤滑、グリス潤滑）に悪影響を与えることもない。
【手続補正３】
【補正対象書類名】図面
【補正対象項目名】図５
【補正方法】変更
【補正の内容】
【図５】
2007325358.tif 000001
【手続補正４】
【補正対象書類名】図面
【補正対象項目名】図６
【補正方法】変更
【補正の内容】
【図６】
2007325358.tif 000002
【手続補正書】
【提出日】平成21年5月26日(2009.5.26)
【手続補正１】
【補正対象書類名】特許請求の範囲
【補正対象項目名】全文
【補正方法】変更
【補正の内容】
【特許請求の範囲】
【請求項１】
Ｘ線源と、
被検体を透過してきたＸ線を検出する二次元のＸ線検出器と、
前記Ｘ線源とＸ線検出器とを回転させる回転手段と、
前記Ｘ線検出器が検出した複数枚の投影データに基づいて被検体の体軸方向であるＺ軸と直交するスライス位置の異なる複数枚のアキシャル画像を生成する画像再構成手段と、
前記複数枚のアキシャル画像又は前記複数枚の投影データに基づいて、Ｚ軸と直交するＸ−Ｙ平面上における穿刺針の位置を検出する穿刺針検出手段と、
前記複数枚のアキシャル画像に基づいて、前記検出した穿刺針を含む体軸方向に奥行きを持ったＭＰＲ画像を生成するＭＰＲ画像生成手段と、
前記画像再構成手段によって再構成された複数枚のアキシャル画像のうちの前記検出した穿刺針を含むアキシャル画像と、前記ＭＰＲ画像生成手段によって生成されたＭＰＲ画像とを表示する画像表示手段と、
を備えたことを特徴とするマルチスライスＸ線ＣＴ装置。
【請求項２】
前記穿刺針検出手段は、前記複数枚の投影データに基づいて前記Ｘ線検出器の回転角と前記Ｘ線検出器の検出素子の位置とで表現される各投影点における複数枚分の投影データのうちの最大値と最小値との差を算出し、前記算出した差が最大となる投影点を検出し、前記検出された投影点に対応する前記Ｘ線検出器の回転角と前記Ｘ線検出器の検出素子の位置とからＸ−Ｙ平面上の穿刺針の位置を示す直線を求め、
前記ＭＰＲ画像生成手段は、前記求めた直線を含む体軸方向と平行な第１のＭＰＲ画像を生成することを特徴とする請求項１に記載のマルチスライスＸ線ＣＴ装置。
【請求項３】
前記ＭＰＲ画像生成手段は、前記検出した穿刺針の針先を含む位置での体軸方向と平行なＭＰＲ画像であって、前記第１のＭＰＲ画像に対して直交する第２のＭＰＲ画像を生成することを特徴とする請求項２に記載のマルチスライスＸ線ＣＴ装置。
【請求項４】
前記画像表示手段は、前記アキシャル画像上に前記ＭＰＲ画像の位置を示す線を表示させることを特徴とする請求項１から３のいずれかに記載のマルチスライスＸ線ＣＴ装置。
【手続補正２】
【補正対象書類名】明細書
【補正対象項目名】０００９
【補正方法】変更
【補正の内容】
【０００９】
前記目的を達成するために、本発明に係るマルチスライスＸ線ＣＴ装置は、Ｘ線源と、被検体を透過してきたＸ線を検出する二次元のＸ線検出器と、前記Ｘ線源とＸ線検出器とを回転させる回転手段と、前記Ｘ線検出器が検出した複数枚の投影データに基づいて被検体の体軸方向であるＺ軸と直交するスライス位置の異なる複数枚のアキシャル画像を生成する画像再構成手段と、前記複数枚のアキシャル画像又は前記複数枚の投影データに基づいて、Ｚ軸と直交するＸ−Ｙ平面上における穿刺針の位置を検出する穿刺針検出手段と、前記複数枚のアキシャル画像に基づいて、前記検出した穿刺針を含む体軸方向に奥行きを持ったＭＰＲ画像を生成するＭＰＲ画像生成手段と、前記画像再構成手段によって再構成された複数枚のアキシャル画像のうちの前記検出した穿刺針を含むアキシャル画像と、前記ＭＰＲ画像生成手段によって生成されたＭＰＲ画像とを表示する画像表示手段と、を備えたことを特徴としている。これにより、体軸方向においても針とターゲットの位置関係を確認することができる。
【手続補正３】
【補正対象書類名】明細書
【補正対象項目名】００１０
【補正方法】変更
【補正の内容】
【００１０】
本発明に係るマルチスライスＸ線ＣＴ装置は、前記ＭＰＲ画像生成手段は、前記検出した穿刺針の針先を含む位置での体軸方向と平行なＭＰＲ画像であって、前記第１のＭＰＲ画像に対して直交する第２のＭＰＲ画像を生成することを特徴とする。また、前記穿刺針検出手段は、前記複数枚の投影データに基づいて前記Ｘ線検出器の回転角と前記Ｘ線検出器の検出素子の位置とで表現される各投影点における複数枚分の投影データのうちの最大値と最小値との差を算出し、前記算出した差が最大となる投影点を検出し、前記検出された投影点に対応する前記Ｘ線検出器の回転角と前記Ｘ線検出器の検出素子の位置とからＸ−Ｙ平面上の穿刺針の位置を示す直線を求め、前記ＭＰＲ画像生成手段は、前記求めた直線を含む体軸方向と平行な第１のＭＰＲ画像を生成することを特徴としている。即ち、Ｘ線検出器が検出した投影デ−タから信号処理によって自動的にＭＰＲ画像を表示する位置を決定するため、従来の穿刺手順を変更することなく、かつ術者の作業負担を増やすことなくＭＰＲ画像を表示させることができる。
【手続補正４】
【補正対象書類名】明細書
【補正対象項目名】００１１
【補正方法】変更
【補正の内容】
【００１１】
本発明に係るマルチスライスＸ線ＣＴ装置は、前記画像表示手段は、前記アキシャル画像上に前記ＭＰＲ画像の位置を示す線を表示させることを特徴としている。これにより、穿刺針の位置をより立体的に認識することができるため、穿刺作業をより正確に行うことができる。
【手続補正５】
【補正対象書類名】図面
【補正対象項目名】図５
【補正方法】変更
【補正の内容】
【図５】
2007325787.tif 000001
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
管腔内に挿入する挿入部を備えた内視鏡と、
前記内視鏡を、少なくとも洗浄及び消毒する内視鏡洗浄消毒装置と、
前記内視鏡に設けられて当該内視鏡を用いた内視鏡検査の終了時間を記憶する第１の時間記憶手段と、
を備え、
前記内視鏡洗浄消毒装置は、前記第１の時間記憶手段が記憶した前記内視鏡検査の終了
時間に基づき、前記内視鏡の、少なくとも洗浄及び消毒工程を制御する洗浄及び消毒工程
制御手段を有することを特徴とする内視鏡洗浄消毒管理システム。
【請求項２】
前記第１の記憶手段は、前記内視鏡の前記挿入部の基端部内に設けられた、無線にてデ
ータが更新できるRF-ID素子から構成され、
前記RF-ID素子に対して前記データを読み出し及び書き込みするRF-ID読み出し書き込み手段をさらに有することを特徴とする請求項１に記載の内視鏡洗浄消毒管理システム。
【請求項３】
前記第１の記憶手段は、少なくとも前記内視鏡検査装置及び前記内視鏡洗浄消毒装置と
ネットワーク接続されて構成されることを特徴とする請求項１に記載の内視鏡洗浄消毒管理システム。
【請求項４】
前記第１の記憶手段は、前記内視鏡内の記憶手段に記憶されている内視鏡を識別する内
視鏡識別情報毎に、前記内視鏡検査の終了時間を記憶することを特徴とする請求項１ないし３のいずれか１つに記載の内視鏡洗浄消毒管理システム。
【請求項５】
前記内視鏡洗浄消毒装置は、
少なくとも、前記第１の時間記憶手段が記憶している前記内視鏡検査の終了時間と比較
するための、現在時刻を計測する現在時刻計測手段と、
前記現在時刻と前記第１の時間記憶手段が記憶している前記内視鏡検査の終了時間との
時間差を、予め設定した規定時間と比較する時間比較手段と、
前記時間比較手段が前記時間差と前記規定時間とを比較した結果、前記時間差が前記規
定時間を超えていると判断した場合、前記内視鏡検査の終了時間が前記規定時間を超えて
いることを告知する告知手段と、
をさらに備えたことを特徴とする請求項１ないし４のいずれか１つに記載の内視鏡洗浄消毒管理システム。
【請求項６】
前記洗浄及び消毒工程制御手段は、前記内視鏡検査の終了時間に基づき、前記内視鏡の
、少なくとも洗浄及び消毒工程の開始を判断して、制御することを特徴とする請求項１ないし５のいずれか１つに記載の内視鏡洗浄消毒管理システム。
【請求項７】
前記内視鏡洗浄消毒装置は、前記内視鏡の内部に挿入軸に沿って設けられたチャンネル
内を自動ブラシ洗浄する洗浄ブラシユニットを有し、
前記洗浄及び消毒工程制御手段は、前記現在時刻と前記第１の時間記憶手段が記憶して
いる前記内視鏡検査の終了時間との比較結果に基づき、前記洗浄ブラシユニットによる前
記チャンネル内の自動ブラシ洗浄の洗浄条件を制御して、前記洗浄及び消毒工程を制御す
ることを特徴とする請求項１ないし６のいずれか１つに記載の内視鏡洗浄消毒管理システ
ム。
【請求項８】
前記第１の記憶手段は、少なくとも前記内視鏡検査装置及び前記内視鏡洗浄消毒装置とLANにて接続された、内視鏡検査情報を管理し検査を支援する内視鏡検査支援装置内に設けられ、
少なくとも、前記洗浄及び消毒工程制御手段は、前記第１の記憶手段に記憶されている
前記内視鏡検査装置における前記内視鏡検査の終了時間を、前記LANを介して前記内視鏡検査支援装置より取得することを特徴とする請求項１ないし７のいずれか１つに記載の内視鏡洗浄消毒管理システム。
【請求項９】
内視鏡を用いた内視鏡検査の終了時間を記憶する該内視鏡に設けた第１の時間記憶手段が記憶した内視鏡検査の終了時間に基づき、前記内視鏡の、少なくとも洗浄及び消毒工程を制御する洗浄及び消毒工程制御手段を備えることを特徴とする内視鏡洗浄消毒装置。
【請求項１０】
前記第１の時間記憶手段が記憶している内視鏡検査の終了時間と比較するための、現在時刻を計測する現在時刻計測手段と、
前記現在時刻と前記第１の時間記憶手段が記憶している前記内視鏡検査の終了時間との
時間差を、予め設定した規定時間と比較する時間比較手段と、
前記時間比較手段が前記時間差と前記規定時間とを比較した結果、前記時間差が前記規
定時間を超えていると判断した場合、前記内視鏡検査の終了時間が前記規定時間を超えて
いることを告知する告知手段と、
備えていることを特徴とする請求項９に記載の内視鏡洗浄消毒装置。
【請求項１１】
前記洗浄及び消毒工程制御手段は、内視鏡検査の終了時間に基づき、前記内視鏡の、少なくとも洗浄及び消毒工程の開始を判断して、制御することを特徴とする請求項９又は１０に記載の内視鏡洗浄消毒装置。
【請求項１２】
内視鏡の内部に挿入軸に沿って設けられたチャンネル内を自動ブラシ洗浄する洗浄ブラシユニットを有し、前記洗浄及び消毒工程制御手段は、前記現在時刻と前記第１の時間記憶手段が記憶している内視鏡検査の終了時間との比較結果に基づき、前記洗浄ブラシユニットによる前記チャンネル内の自動ブラシ洗浄の洗浄条件を制御して、前記洗浄及び消毒工程を制御することを特徴とする請求項９ないし１１のいずれか１つに記載の内視鏡洗浄消毒装置。
【手続補正２】
【補正対象書類名】明細書
【補正対象項目名】０００６
【補正方法】変更
【補正の内容】
【０００６】
前記目的を達成するため本発明の一態様による本発明の内視鏡洗浄消毒管理システムは、管腔内に挿入する挿入部を備えた内視鏡と、
前記内視鏡を、少なくとも洗浄及び消毒する内視鏡洗浄消毒装置と、
前記内視鏡に設けられて当該内視鏡を用いた内視鏡検査の終了時間を記憶する第１の時間記憶手段と、
を備え、
前記内視鏡洗浄消毒装置は、前記第１の時間記憶手段が記憶した前記内視鏡検査の終了
時間に基づき、前記内視鏡の、少なくとも洗浄及び消毒工程を制御する洗浄及び消毒工程
制御手段を有している。
また、本発明の洗浄消毒装置は、内視鏡を用いた内視鏡検査の終了時間を記憶する該内視鏡に設けた第１の時間記憶手段が記憶した内視鏡検査の終了時間に基づき、前記内視鏡の、少なくとも洗浄及び消毒工程を制御する洗浄及び消毒工程制御手段を備えている。
【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
西瓜果実から果皮を剥ぐ工程と、西瓜果肉をダイス状に裁断する裁断工程と、前記西瓜果肉片を糖シロップ又は西瓜果汁を添加した糖シロップに漬け置きする工程と、次いで、保存容器に前記糖シロップ漬果肉を詰める工程と、から構成されることを特徴とする西瓜果肉詰めの製造方法。
【請求項２】
前記西瓜果実から果皮を剥ぐ工程が、西瓜果実を大径方向に二つに切断した後、各切断半球の頂部を上方から回転支持すると共に、頂部下部の周辺部から大径部に向かって水平回転刃と垂直回転刃の組み合わせにより階段状に果皮を剥ぎ取ることを特徴とする請求項１記載の西瓜果肉詰めの製造方法。  
【請求項３】
前記西瓜果肉をダイス状に裁断する裁断工程が、果皮を剥いだ西瓜半球の頂部を支持すると共に、西瓜半球を大径面から格子状に形成した縦刃と横刃により切断して拍子木状にした後、水平に径方向に走行する水平横断刃により裁断してダイス形に切断分離して西瓜果肉片を得ることを特徴とする請求項１又は２記載の西瓜果肉詰めの製造方法。
【請求項４】
前記西瓜果肉片を糖シロップ又は西瓜果汁を添加した糖シロップに漬け置きする工程において、糖シロップの糖がオリゴ糖からなることを特徴とする請求項１又は２又は３記載の西瓜果肉詰めの製造方法。
【請求項５】
前記保存容器に前記糖シロップ漬果肉を詰める工程において、保存容器に缶、瓶又はレトルトパウチを用いることを特徴とする請求項１から４のいずれかに記載の西瓜果肉詰めの製造方法。
【請求項６】
前記保存容器に前記糖シロップ漬果肉を詰める際に、前記包装容器内に不活性ガス注入を施すことを特徴とする請求項５に記載の西瓜果肉詰めの製造方法。
【手続補正書】
【提出日】平成21年5月28日(2009.5.28)
【手続補正１】
【補正対象書類名】特許請求の範囲
【補正対象項目名】全文
【補正方法】変更
【補正の内容】
【特許請求の範囲】
【請求項１】
ナイロン１２からなるカテーテルチューブに、炭素数が４個または８個の直鎖アルキル基を有する親水性高分子がコーティングされていることを特徴とするカテーテルチューブ。
【請求項２】
前記親水性高分子が、ジメチルアクリルアミドとグリシジルメタクリレートのブロック共重合体であることを特徴とする請求項１に記載のカテーテルチューブ。
【請求項３】
ナイロン１１からなるカテーテルチューブに、炭素数が８個の直鎖アルキル基を有する親水性高分子がコーティングされていることを特徴とするカテーテルチューブ。
【請求項４】
前記親水性高分子が、ジメチルアクリルアミドとグリシジルメタクリレートのブロック共重合体であることを特徴とする請求項３に記載のカテーテルチューブ。
【手続補正書】
【提出日】平成21年1月15日(2009.1.15)
【手続補正１】
【補正対象書類名】特許請求の範囲
【補正対象項目名】全文
【補正方法】変更
【補正の内容】
【特許請求の範囲】
【請求項１】
受信したデータを他の装置に出力する受信装置であって、
前記データを前記他の装置に出力する出力手段と、
前記出力手段の出力先である前記他の装置の数と、前記データを視聴または記録可能な装置の制限数とを記憶する記憶手段と、
前記出力手段の出力を制御する制御手段とを備え、
前記制御手段は、前記記憶手段により記憶された前記出力先である他の装置の数及び前記制限数を取得して、データの出力先である前記他の装置の数が前記制限数の範囲内であるか否かの判断を行い、前記判断結果を用いて前記他の装置へのデータの配信を制御することを特徴とする受信装置。
【請求項２】
受信したデータを出力する出力方法において、
前記データの出力先の数を管理し、
前記出力先の数がデジタル情報を出力可能な機器の制限数以内であるときに、前記データを出力するように制御することを特徴とする受信方法。
【手続補正２】
【補正対象書類名】明細書
【補正対象項目名】発明の名称
【補正方法】変更
【補正の内容】
【発明の名称】受信装置及び受信方法
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
復号済みピクチャを参照ピクチャとして保持するバッファを管理するためのコマンドを符号化した情報と、
復号順が特定のＰピクチャよりも前のＩピクチャあるいはＰピクチャを選択的に参照することにより復号可能であり、かつ、
復号順が前記特定のＰピクチャよりも後のピクチャは、復号順が前記特定のＰピクチャよりも前のピクチャを参照しないことで定義される
前記特定のＰピクチャを符号化した第一の符号化ピクチャの画素データとを含む
ストリームを生成するストリーム生成装置であって、
前記コマンドを符号化した第一の情報を付加した第二の符号化ピクチャが、前記第一の符号化ピクチャを復号する際に参照されないＰピクチャに対応する符号化ピクチャであるか否かを判定する判定手段と、
前記判定手段において前記第一の符号化ピクチャを復号する際に参照されないＰピクチャに対応する符号化ピクチャであると判定された場合に、
前記コマンドと同一の内容を第二の情報として符号化する符号化手段と、
前記第二の符号化ピクチャよりも復号順が後のＰピクチャであり、かつ、
前記第一の符号化ピクチャを復号する際に参照されるＰピクチャに対応する第三の符号化ピクチャに前記第二の情報を付加することでストリームを生成する生成手段と、
を備えることを特徴とするストリーム生成装置。
【請求項２】
復号済みピクチャを参照ピクチャとして保持するバッファを管理するためのコマンドを符号化した情報と、
復号順が特定のＰピクチャよりも前のＩピクチャあるいはＰピクチャを選択的に参照することにより復号可能であり、かつ、
復号順が前記特定のＰピクチャよりも後のピクチャは、復号順が前記特定のＰピクチャよりも前のピクチャを参照しないことで定義される
前記特定のＰピクチャを符号化した第一の符号化ピクチャの画素データとを含む
ストリームを生成するストリーム生成方法であって、
前記コマンドを符号化した第一の情報を付加した第二の符号化ピクチャが、前記第一の符号化ピクチャを復号する際に参照されないＰピクチャに対応する符号化ピクチャであるか否かを判定する判定ステップと、
前記判定ステップにおいて前記第一の符号化ピクチャを復号する際に参照されないＰピクチャに対応する符号化ピクチャであると判定された場合に、
前記コマンドと同一の内容を第二の情報として符号化する符号化ステップと、
前記第二の符号化ピクチャよりも復号順が後のＰピクチャであり、かつ、
前記第一の符号化ピクチャを復号する際に参照されるＰピクチャに対応する第三の符号化ピクチャに前記第二の情報を付加することでストリームを生成する生成ステップと、
を備えることを特徴とするストリーム生成方法。
【請求項３】
復号済みピクチャを参照ピクチャとして保持するバッファを管理するためのコマンドを符号化した情報と、
復号順が特定のＰピクチャよりも前のＩピクチャあるいはＰピクチャを選択的に参照することにより復号可能であり、かつ、
復号順が前記特定のＰピクチャよりも後のピクチャは、復号順が前記特定のＰピクチャよりも前のピクチャを参照しないことで定義される
前記特定のＰピクチャを符号化した第一の符号化ピクチャの画素データとを含む
ストリームを再生するストリーム再生装置であって、
復号順が前記特定のＰピクチャよりも前のＩピクチャあるいはＰピクチャを復号する際、前記コマンドを符号化した情報が付加されている場合に、前記コマンドを符号化した情報を復号化する第一の復号化手段と、
復号化された前記コマンドの内容により、復号済みピクチャを参照ピクチャとしてバッファに保持するバッファ管理手段と、
復号順が前記特定のＰピクチャよりも前のＩピクチャあるいはＰピクチャの復号を行う第二の復号化手段と
を備えることを特徴とするストリーム再生装置。
【請求項４】
復号済みピクチャを参照ピクチャとして保持するバッファを管理するためのコマンドを符号化した情報と、
復号順が特定のＰピクチャよりも前のＩピクチャあるいはＰピクチャを選択的に参照することにより復号可能であり、かつ、
復号順が前記特定のＰピクチャよりも後のピクチャは、復号順が前記特定のＰピクチャよりも前のピクチャを参照しないことで定義される
前記特定のＰピクチャを符号化した第一の符号化ピクチャの画素データとを含む
ストリームを再生するストリーム再生方法であって、
復号順が前記特定のＰピクチャよりも前のＩピクチャあるいはＰピクチャを復号する際、前記コマンドを符号化した情報が付加されている場合に、前記コマンドを符号化した情報を復号化する第一の復号化ステップと、
復号化された前記コマンドの内容により、復号済みピクチャを参照ピクチャとしてバッファに保持するバッファ管理ステップと、
復号順が前記特定のＰピクチャよりも前のＩピクチャあるいはＰピクチャの復号を行う第二の復号化ステップと
を備えることを特徴とするストリーム再生方法。
【請求項５】
復号済みピクチャを参照ピクチャとして保持するバッファを管理するためのコマンドを符号化した情報と、
復号順が特定のＰピクチャよりも前のＩピクチャあるいはＰピクチャを選択的に参照することにより復号可能であり、かつ、
復号順が前記特定のＰピクチャよりも後のピクチャは、復号順が前記特定のＰピクチャよりも前のピクチャを参照しないことで定義される
前記特定のＰピクチャを符号化した第一の符号化ピクチャの画素データとを含む
ストリームを記録媒体に記録する記録方法であって、
前記コマンドを符号化した第一の情報を付加した第二の符号化ピクチャが、前記第一の符号化ピクチャを復号する際に参照されないＰピクチャに対応する符号化ピクチャであるか否かを判定する判定ステップと、
前記判定ステップにおいて前記第一の符号化ピクチャを復号する際に参照されないＰピクチャに対応する符号化ピクチャであると判定された場合に、
前記コマンドと同一の内容を第二の情報として符号化する符号化ステップと、
前記第二の符号化ピクチャよりも復号順が後のＰピクチャであり、かつ、
前記第一の符号化ピクチャを復号する際に参照されるＰピクチャに対応する第三の符号化ピクチャに前記第二の情報を付加することでストリームを生成する生成ステップと、
前記ストリームを記録媒体に記録する記録ステップと、
を備えることを特徴とする記録媒体への記録方法。
【手続補正２】
【補正対象書類名】明細書
【補正対象項目名】発明の名称
【補正方法】変更
【補正の内容】
【発明の名称】ストリーム生成装置、ストリーム生成方法、ストリーム再生装置、ストリーム再生方法および記録方法
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
被写体を撮影する撮影手段と、
外部装置に記憶されている画像を要求するための要求パケットを作成する作成手段と、
前記要求パケットを外部装置に送信する要求パケット送信手段と、
外部装置から、前記要求パケットに対する応答パケットを受信する応答パケット受信手段と、
前記受信した応答パケットに含まれる、前記外部装置に記憶されている画像に関する情報に基づき、前記外部装置から画像を取得する画像取得手段とを有し、
前記作成手段は、前記撮影手段による撮影に応じて、該撮影のパラメータに基づく情報を含む前記要求パケットを作成することを特徴とする撮像装置。
【請求項２】
前記応答パケットは、前記外部装置のアドレス及び取得可能な画像を特定する識別情報を含むことを特徴とする請求項１に記載の撮像装置。
【請求項３】
前記応答パケットを記憶する記憶手段と、
前記画像の取得の開始指示を行う指示手段とをさらに有し、
前記画像取得手段は、前記画像の取得の開始指示に応じて前記記憶手段に記憶された応答パケットを読み出し、前記読み出した応答パケットに含まれる前記外部装置のアドレスに基づき前記外部装置と通信し、前記識別情報に基づき画像を取得することを特徴とする請求項２に記載の撮像装置。
【請求項４】
画像を前記外部装置から取得するための取得条件を予め設定する取得条件設定手段を有し、
前記要求パケットは、前記撮影のパラメータ及び前記条件設定手段で設定した取得条件に基づき生成されることを特徴とする請求項１乃至３のいずれか１項に記載の撮像装置。
【請求項５】
前記取得条件は、前記撮影のパラメータを基準とした一定のレンジを示す条件であることを特徴とする請求項４に記載の撮像装置。
【請求項６】
前記撮影のパラメータは、前記撮影手段により画像が撮影された時刻であることを条件とする請求項５に記載の撮像装置。
【請求項７】
前記取得条件設定手段は、撮影ボタンを半押しした時点から全押しした時点までの時間を前記レンジとして設定することを特徴とする請求項６に記載の撮像装置。
【請求項８】
前記撮影のパラメータは、前記撮影手段により画像が撮影された位置であることを条件とする請求項５に記載の撮像装置。
【請求項９】
前記記憶手段は、前記応答パケット受信手段により受信した応答パケットの内容に基づき、前記外部装置から取得する画像を記憶するための容量を確保することを特徴とする請求項１乃至８のいずれか１項に記載の撮像装置。
【請求項１０】
前記応答パケットとともに画像を受信した場合に、前記画像に含まれる被写体を認識する被写体認識手段をさらに有し、
前記記憶手段は、前記被写体認識手段による被写体認識の結果に基づき、取得する画像を記憶するための容量を確保することを特徴とする請求項１に記載の撮像装置。
【請求項１１】
撮像装置から、前記撮像装置が被写体を撮影した際の撮影のパラメータに基づく取得条件を含んだ要求パケットを受信する要求パケット受信手段と、
画像が記憶された記憶手段にアクセスし、前記要求パケットに含まれる前記撮影のパラメータに基づく取得条件に基づき画像を検索する検索手段と、
前記取得条件に合致する撮影のパラメータを有する画像が存在する旨を示す応答パケットを送信する送信手段とを有する通信装置。
【請求項１２】
前記送信手段は、前記応答パケットを送信する際に、前記要求パケットの条件に合致する画像のサムネイルを送信することを特徴とする請求項１１に記載の通信装置。
【請求項１３】
被写体を撮影する撮影工程と、
外部装置に記憶されている画像を要求するための要求パケットを作成する作成工程と、
前記要求パケットを外部装置に送信する要求パケット送信工程と、
外部装置から、前記要求パケットに対する応答パケットを受信する応答パケット受信工程と、
前記受信した応答パケットに含まれる、前記外部装置に記憶されている画像に関する情報に基づき、前記外部装置から画像を取得する画像取得工程からなり、
前記作成手段では、前記撮影工程による撮影に応じて、該撮影のパラメータに基づく情報を含む前記要求パケットを作成することを特徴とする撮像装置の制御方法。
【請求項１４】
コンピュータを、
被写体を撮影する撮影手段と、
外部装置に記憶されている画像を要求するための要求パケットを作成する作成手段と、
前記要求パケットを外部装置に送信する要求パケット送信手段と、
外部装置から、前記要求パケットに対する応答パケットを受信する応答パケット受信手段と、
前記受信した応答パケットに含まれる、前記外部装置に記憶されている画像に関する情報に基づき、前記外部装置から画像を取得する画像取得手段として機能させるプログラムであって、
前記作成手段は、前記撮影手段による撮影に応じて、該撮影のパラメータに基づく情報を含む前記要求パケットを作成することを特徴とするコンピュータ可読のプログラム。
【請求項１５】
撮像装置から、前記撮像装置が被写体を撮影した際の撮影のパラメータに基づく取得条件を含んだ要求パケットを受信する要求パケット受信工程と、
画像が記憶された記憶手段にアクセスし、前記要求パケットに含まれる前記撮影のパラメータに基づく取得条件に基づき画像を検索する検索工程と、
前記取得条件に合致する撮影のパラメータを有する画像が存在する旨を示す応答パケットを送信する送信工程とからなる通信装置の制御方法。
【請求項１６】
コンピュータを、
撮像装置から、前記撮像装置が被写体を撮影した際の撮影のパラメータに基づく取得条件を含んだ要求パケットを受信する要求パケット受信手段と、
画像が記憶された記憶手段にアクセスし、前記要求パケットに含まれる前記撮影のパラメータに基づく取得条件に基づき画像を検索する検索手段と、
前記取得条件に合致する撮影のパラメータを有する画像が存在する旨を示す応答パケットを送信する送信手段として機能させるコンピュータ可読のプログラム。
【手続補正２】
【補正対象書類名】明細書
【補正対象項目名】０００８
【補正方法】変更
【補正の内容】
【０００８】
上記課題を解決するために、本発明は、被写体を撮影する撮影手段と、外部装置に記憶されている画像を要求するための要求パケットを作成する作成手段と、前記要求パケットを外部装置に送信する要求パケット送信手段と、外部装置から、前記要求パケットに対する応答パケットを受信する応答パケット受信手段と、前記受信した応答パケットに含まれる、前記外部装置に記憶されている画像に関する情報に基づき、前記外部装置から画像を取得する画像取得手段とを有し、前記作成手段は、前記撮影手段による撮影に応じて、該撮影のパラメータに基づく情報を含む前記要求パケットを作成することを特徴とする。
【手続補正３】
【補正対象書類名】明細書
【補正対象項目名】０００９
【補正方法】変更
【補正の内容】
【０００９】
本発明によれば、撮影現場において、交換すべき画像ファイルの情報を簡単かつ適切に送受信することが可能となる。
【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
被写体光量を調節する絞りとフォーカス調節用のフォーカスレンズを有し、焦点距離の変更が可能なズームレンズからなる撮影レンズと、
前記撮像手段により得られた画像から人物の顔を識別する顔識別手段と、
前記顔識別手段により識別された人物の顔の領域の明るさを被写体輝度として測定する被写体輝度測定手段と、
前記撮影レンズの焦点距離と、前記顔識別手段により識別された人物の顔のサイズとから被写体距離を算出する被写体距離算出手段と、
前記撮影レンズの焦点距離と、前記絞りの開口径と、前記被写体距離とに基づいて被写界深度を算出する被写界深度算出手段と、
前記被写界深度が所定の広さを有するか否かを判定する被写界深度判定手段と、
前記被写界深度が前記所定の広さを有していないと判定した時に、前記絞りの開口径を前記被写体輝度に対応した開口径よりも小さくし、かつ前記開口径の変化分に応じて前記撮像手段の感度を上げた上で、前記被写体距離に基づいて前記フォーカスレンズを移動させるとともに、前記被写界深度が所定の広さを有すると判定した時には、前記絞りの開口径、及び前記撮像手段の感度を維持した上で、前記被写体距離に基づいて前記フォーカスレンズを移動させる制御手段と、
を備えたことを特徴とする撮像装置。
【請求項２】
前記被写界深度判定手段は、前記被写界深度が前記撮影レンズの焦点距離ごとに予め決められた基準値よりも深いか浅いかを判定することを特徴とする請求項１記載の撮像装置。
【請求項３】
前記人物の顔のサイズに基づいて算出される被写体距離を第１の被写体距離とした時、被写体からの情報光と基線長とに基づいて三角測距により第２の被写体距離を算出する第２被写体距離算出手段と、
前記第１の被写体距離と前記第２の被写体距離との距離の差が所定範囲内であるか否かを判定する距離判定手段を備え、
前記フォーカス調節手段は、前記距離の差が所定範囲内であると判定された際に前記第１の被写体距離に基づいてフォーカス調節を実行し、前記距離の差が所定範囲外であると判定された際に前記第２の被写体距離に基づいてフォーカス調節を実行することを特徴とする請求項１又は２記載の撮像装置。
【請求項４】
前記フォーカス調節手段は、動画を記録する動画撮影、又は１回の撮影操作で複数の静止画を記録する連写撮影が行われる間に、前記被写体距離の変化に応じて前記フォーカスレンズを移動することを特徴とする請求項１ないし３のいずれかに記載の撮像装置。
【手続補正２】
【補正対象書類名】明細書
【補正対象項目名】０００５
【補正方法】変更
【補正の内容】
【０００５】
上記目的を達成するために、本発明の撮像装置では、被写体を撮像する撮像手段と、被写体光量を調節する絞りとフォーカス調節用のフォーカスレンズを有し、焦点距離の変更が可能なズームレンズからなる撮影レンズと、前記撮像手段により得られた画像から人物の顔を識別する顔識別手段と、前記顔識別手段により識別された人物の顔の領域の明るさを被写体輝度として測定する被写体輝度測定手段と、前記撮影レンズの焦点距離と前記顔識別手段により識別された人物の顔のサイズとから被写体距離を算出する被写体距離算出手段と、前記撮影レンズの焦点距離と前記絞りの開口径と前記被写体距離とに基づいて被写界深度を算出する被写界深度算出手段と、前記被写界深度が所定の広さを有するか否かを判定する被写界深度判定手段と、前記被写界深度が前記所定の広さを有していないと判定した時に前記絞りの開口径を前記被写体輝度に対応した開口径よりも小さくしかつ前記開口径の変化分に応じて前記撮像手段の感度を上げた上で前記被写体距離に基づいて前記フォーカスレンズを移動させるとともに、前記被写界深度が所定の広さを有すると判定した時には前記絞りの開口径及び前記撮像手段の感度を維持した上で前記被写体距離に基づいて前記フォーカスレンズを移動させる制御手段と、を備えたことを特徴とする。
【手続補正３】
【補正対象書類名】明細書
【補正対象項目名】０００７
【補正方法】削除
【補正の内容】
【手続補正書】
【提出日】平成21年2月5日(2009.2.5)
【手続補正１】
【補正対象書類名】明細書
【補正対象項目名】００２３
【補正方法】変更
【補正の内容】
【００２３】
［周波数に影響されない弦長計算式の導入］
同様に、式(4)の弦長計算式においても、周波数変動に影響されない次の弦長計算式を導入する。
【数９】
2007325429.tif 000001
【手続補正２】
【補正対象書類名】明細書
【補正対象項目名】００４８
【補正方法】変更
【補正の内容】
【００４８】
先ず、電圧瞬時値は次の式(31)で計算される。なお、1基準波は４Ｎ(Ｎ＝３)で分割されると仮定する。
2007325429.tif 000002
なお、Ｐ1  Ｐ２は任意の定数である。
電圧実数瞬時値行列式を[ｖ]、三角関数行列を［Ａ］、任意係数行列を［P］で表現すると、時系列電圧瞬時値マトリクス計算式は以下の通りである。
【数１９】
2007325429.tif 000003
任意係数行列［P］は、最小二乗法を適用すれば、次式により求めることができる。
2007325429.tif 000004
【手続補正３】
【補正対象書類名】明細書
【補正対象項目名】００４９
【補正方法】変更
【補正の内容】
【００４９】
式(34)〜(36)を用いて、定数P1,P2を計算する。
【数２０】
2007325429.tif 000005
従って、次式(37)により現時点の電圧実数瞬時推定値を求めることができる。
2007325429.tif 000006
【手続補正書】
【提出日】平成21年5月21日(2009.5.21)
【手続補正１】
【補正対象書類名】特許請求の範囲
【補正対象項目名】請求項１
【補正方法】変更
【補正の内容】
【請求項１】
交流電源に直結するブラシレスＤＣモータにファンを備えた本体と、前記ブラシレスＤＣモータに交流電源を入力する外部接続手段と、前記ブラシレスＤＣモータの磁石回転子の磁極位置を検知する磁極位置検出手段と、複数のスイッチング素子でブリッジ接続されたインバータ回路と、交流電源を直流電源に変換して前記インバータ回路に印加する電圧変換手段と、前記磁極位置検出手段の信号を基に前記電圧変換手段にて生成した電圧を前記インバータ回路を介して前記ブラシレスＤＣモータに所定の方向と順序で順次全波通電する駆動制御手段と、前記磁極位置検出手段より出力される信号を予め定められたキャリア周波数のＰＷＭパルスに変換するパルス変換手段と、前記電圧変換手段から出力される電流を検出する電流検出回路と、前記パルス変換手段より出力されるＰＷＭパルスと前記電流検出回路より出力される信号に応じて前記電圧変換手段の出力を制御する出力制御手段とを備え、前記出力制御手段は前記パルス変換手段から出力されるＰＷＭパルスから基準値を生成し前記電流検出回路より出力される信号と比較して前記電圧変換手段から出力される電流を制御することを特徴とするブラシレスＤＣモータを搭載した換気送風装置。
【手続補正２】
【補正対象書類名】明細書
【補正対象項目名】００１９
【補正方法】変更
【補正の内容】
【００１９】
本発明のブラシレスＤＣモータを搭載した換気送風装置は上記目的を達成するために、交流電源に直結するブラシレスＤＣモータにファンを備えた本体と、前記ブラシレスＤＣモータに交流電源を入力する外部接続手段と、前記ブラシレスＤＣモータの磁石回転子の磁極位置を検知する磁極位置検出手段と、複数のスイッチング素子でブリッジ接続されたインバータ回路と、交流電源を直流電源に変換して前記インバータ回路に印加する電圧変換手段と、前記磁極位置検出手段の信号を基に前記電圧変換手段にて生成した電圧を前記インバータ回路を介して前記ブラシレスＤＣモータに所定の方向と順序で順次全波通電する駆動制御手段と、前記磁極位置検出手段より出力される信号を予め定められたキャリア周波数のＰＷＭパルスに変換するパルス変換手段と、前記電圧変換手段から出力される電流を検出する電流検出回路と、前記パルス変換手段より出力されるＰＷＭパルスと前記電流検出回路より出力される信号に応じて前記電圧変換手段の出力を制御する出力制御手段とを備え、前記出力制御手段は前記パルス変換手段から出力されるＰＷＭパルスから基準値を生成し前記電流検出回路より出力される信号と比較して前記電圧変換手段から出力される電流を制御することを特徴とするブラシレスＤＣモータを搭載した換気送風装置としたものである。    
【手続補正３】
【補正対象書類名】明細書
【補正対象項目名】００５４
【補正方法】変更
【補正の内容】
【００５４】
本発明の請求項１記載の発明は、交流電源に直結するブラシレスＤＣモータにファンを備えた本体と、前記ブラシレスＤＣモータに交流電源を入力する外部接続手段と、前記ブラシレスＤＣモータの磁石回転子の磁極位置を検知する磁極位置検出手段と、複数のスイッチング素子でブリッジ接続されたインバータ回路と、交流電源を直流電源に変換して前記インバータ回路に印加する電圧変換手段と、前記磁極位置検出手段の信号を基に前記電圧変換手段にて生成した電圧を前記インバータ回路を介して前記ブラシレスＤＣモータに所定の方向と順序で順次全波通電する駆動制御手段と、前記磁極位置検出手段より出力される信号を予め定められたキャリア周波数のＰＷＭパルスに変換するパルス変換手段と、前記電圧変換手段から出力される電流を検出する電流検出回路と、前記パルス変換手段より出力されるＰＷＭパルスと前記電流検出回路より出力される信号に応じて前記電圧変換手段の出力を制御する出力制御手段とを備え、前記出力制御手段は前記パルス変換手段から出力されるＰＷＭパルスから基準値を生成し前記電流検出回路より出力される信号と比較して前記電圧変換手段から出力される電流を制御することを特徴とするブラシレスＤＣモータを搭載した換気送風装置としたものであり、ブラシレスＤＣモータを交流電源に直結して電動機のみで回転数をフィードバックして特性を得るため、別途回路を設けることなく、電動機単体で特性を変更でき、更に機器を小型化、低コスト化できるという作用を有する。
【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
秘匿情報に対するマスキングをその出力時に可能とする原稿画像を作成する画像処理装置であって、
前記原稿画像の様式ごとに、該原稿画像上におけるマスキング対象位置を示すマスキング位置情報を登録するマスキング位置登録手段と、
前記原稿画像を入力する原稿入力手段と、
該入力された原稿画像において、前記マスキング位置情報に対応する文字画像に対し、マスキング対象である旨を示すマスキング情報を電子透かし情報として挿入するマスキング情報挿入手段と、
前記マスキング情報が挿入された原稿画像を出力するマスキング情報挿入原稿出力手段と、
を有することを特徴とする画像処理装置。
【請求項２】
さらに、
前記マスキング情報挿入原稿出力手段で出力された原稿画像において、前記マスキング情報が挿入された文字画像を特定する文字特定手段と、
該特定された文字画像についてマスキングを施すマスキング手段と、
該マスキングが施された原稿画像を出力する出力手段と、
を有することを特徴とする請求項１記載の画像処理装置。
【請求項３】
前記マスキング情報挿入手段は、
前記原稿入力手段で入力された原稿画像の様式を特定する第１の原稿様式特定手段と、
該特定された様式に基づいて、前記マスキング位置登録手段で登録されたマスキング位置情報を獲得するマスキング位置獲得手段と、
該獲得されたマスキング位置情報に基づいて、前記原稿画像における文字画像を加工する文字加工手段と、
を有することを特徴とする請求項１又は２に記載の画像処理装置。
【請求項４】
前記マスキング位置登録手段は、
前記原稿画像の様式を入力する原稿様式入力手段と、
該入力された原稿画像の様式を特定する第２の原稿様式特定手段と、
該特定された様式に対するマスキング位置を指定するマスキング位置指定手段と、
前記第２の原稿様式特定手段で特定された原稿様式情報と、前記マスキング位置指定手段で指定されたマスキング位置情報を関連付けて保持するマスキング位置情報保持手段と、
を有することを特徴とする請求項１乃至３のいずれか１項に記載の画像処理装置。
【請求項５】
秘匿情報に対するマスキングをその出力時に可能とする原稿画像を作成する画像処理装置における画像処理方法であって、
マスキング位置登録手段が、前記原稿画像の様式ごとに、該原稿画像上におけるマスキング対象位置を示すマスキング位置情報を登録するマスキング位置登録ステップと、
原稿入力手段が、前記原稿画像を入力する原稿入力ステップと、
マスキング情報挿入手段が、該入力された原稿画像において、前記マスキング位置情報に対応する文字画像に対し、マスキング対象である旨を示すマスキング情報を電子透かし情報として挿入するマスキング情報挿入ステップと、
マスキング情報挿入原稿出力手段が、前記マスキング情報が挿入された原稿画像を出力するマスキング情報挿入原稿出力ステップと、
を有することを特徴とする画像処理方法。
【請求項６】
さらに、
前記マスキング情報挿入原稿出力ステップにおいて出力された原稿画像において、前記マスキング情報が挿入された文字画像を特定する文字特定ステップと、
該特定された文字画像についてマスキングを施すマスキングステップと、
該マスキングが施された原稿画像を出力する出力ステップと、
を有することを特徴とする請求項５記載の画像処理方法。
【請求項７】
コンピュータ上で実行されることにより、該コンピュータ上で請求項５又は６に記載の画像処理方法を実現することを特徴とするプログラム。
【請求項８】
請求項７記載のプログラムを格納したことを特徴とする記録媒体。
【手続補正２】
【補正対象書類名】明細書
【補正対象項目名】発明の名称
【補正方法】変更
【補正の内容】
【発明の名称】画像処理装置および画像処理方法、プログラム、記録媒体
【手続補正３】
【補正対象書類名】明細書
【補正対象項目名】０００１
【補正方法】変更
【補正の内容】
【０００１】
本発明は画像処理装置および画像処理方法、プログラム、記録媒体に関し、特に文書画像において秘匿情報に対するマスキングを行う画像処理技術に関する。
【手続補正４】
【補正対象書類名】明細書
【補正対象項目名】００１０
【補正方法】変更
【補正の内容】
【００１０】
本発明は上述した問題を解決するためになされたものであり、原稿上の秘匿情報部を確実にマスキングすることによって、その漏洩を確実に防止する画像処理技術を提供することを目的とする。
【手続補正５】
【補正対象書類名】明細書
【補正対象項目名】００１２
【補正方法】変更
【補正の内容】
【００１２】
すなわち、秘匿情報に対するマスキングをその出力時に可能とする原稿画像を作成する画像処理装置であって、前記原稿画像の様式ごとに、該原稿画像上におけるマスキング対象位置を示すマスキング位置情報を登録するマスキング位置登録手段と、前記原稿画像を入力する原稿入力手段と、該入力された原稿画像において、前記マスキング位置情報に対応する文字画像に対し、マスキング対象である旨を示すマスキング情報を電子透かし情報として挿入するマスキング情報挿入手段と、前記マスキング情報が挿入された原稿画像を出力するマスキング情報挿入原稿出力手段と、を有することを特徴とする。
【手続補正６】
【補正対象書類名】明細書
【補正対象項目名】００１４
【補正方法】削除
【補正の内容】